(57)【要約】【課題】映像音声信号であるテレビ放送番組の視聴中でも，そのときの状態のままでユーザが映像および／または音声である通話を行うことを可能とし、通話のための操作の手間も低減可能とすること。【解決手段】映像音声信号を受信する受信部１０と、前記映像音声信号を出力する出力部８と、映像および／または音声の入力を受け付ける入力部４，５と、前記入力部４，５が入力を受け付けた映像および／または音声を送信する送信部１５と、を有する情報処理装置。【選択図】図２
2014060769.tif 000002
【特許請求の範囲】
【請求項１】
映像音声信号を受信する受信部と、
前記映像音声信号を出力する出力部と、
映像および／または音声の入力を受け付ける入力部と、
前記入力部が入力を受け付けた映像および／または音声を送信する送信部と、を有する
ことを特徴とする情報処理装置。
【発明の詳細な説明】
【技術分野】
【０００１】
本発明は、映像および／または音声を取り扱う情報処理装置に係わり、特に、テレビジョン受像機（以下、テレビ受像機という）にテレビ電話による通話を可能とする手段を設け、他機との間でテレビ電話による通話を行なうことができるようにしたディジタル情報信号送受信装置に関する。
【背景技術】
【０００２】
電話システムとテレビシステムとは、独立のシステムであって、電話機とテレビ受像機とは全くの別体の装置であったが、テレビ放送番組の視聴中に電話機で着信があって、電話機が着信音（呼出し音）を発しても、これを聞き逃すこともあり、これを防止するために、電話機とテレビ受信機とを信号線で接続し、電話機に着信があると、テレビ受像機の表示画面に着信がある旨のメッセージを表示するようにした技術が表示されている（例えば、特許文献１参照）。
【０００３】
また、映像や音声を送受信することによって相手方との通話を行なうことができるようにしたテレビ電話機も知られている。かかるテレビ電話機では、カメラやマイク，スピーカ，画像表示装置が設けられており、相手側のテレビ電話機に、自己側のテレビ電話機でカメラやマイクで得られた映像や音声の信号を送信し、また、相手側のテレビ電話機からの映像や音声の信号を受信し、この映像を画像表示装置で表示し、音声をスピーカで再生するものであるが、相手側のテレビ電話機への送信を行なう場合には、映像と音声とを圧縮処理（エンコード）して送信し、受信された相手側のテレビ電話機からの映像や音声を伸張処理して画像表示装置やスピーカで再生する（例えば、特許文献２参照）。
【先行技術文献】
【特許文献】
【０００４】
【特許文献１】特開平５ー５６１９０号公報
【特許文献２】特開平９ー８３９８３号公報
【発明の概要】
【発明が解決しようとする課題】
【０００５】
ところで、上記特許文献１に記載の従来技術では、テレビ受像機とテレビ電話機を別体の装置としているので、テレビ受像機でテレビ放送番組の視聴中、テレビ電話機に着信の通知があると、その旨のメッセージがテレビ受像機の表示画面に表示されるので、ユーザは着信があったことを容易に知ることができるが、このテレビ電話機が設置されている場所まで移動し、テレビ電話機で通話開始のための操作をしなければならず、テレビ放送番組を視聴しているユーザにとっては、手間がかかるものとなる。
【０００６】
また、通話の開始ばかりでなく、通話を終了する場合も、通話終了のための操作（例えば、送受話機を置き台に置くといった動作）が必要であり、この操作も、テレビ電話機が置かれている場所で行なわれる。
【０００７】
このように、従来では、テレビ受像機でテレビ放送番組の視聴に電話の着信があると、これまで居た場所から移動し、通話の開始，終了のための操作をしなければならず、ユーザにとっては、手間がかかる煩わしい作業をしなければならなかった。
【課題を解決するための手段】
【０００８】
上記課題を解決するために、本発明は、映像音声信号を受信する受信部と、前記映像音声信号を出力する出力部と、映像および／または音声の入力を受け付ける入力部と、前記入力部が入力を受け付けた映像および／または音声を送信する送信部と、を有する情報処理装置であり、具体的には、デジタル放送番組信号の受信と他のテレビ電話機能付きテレビ受像機との間でテレビ電話信号の送受信とを行ない、テレビ電話による通話を行なう機能を有するテレビ電話機能付きテレビ受像機であって、受信したデジタル放送番組信号とテレビ電話信号をデコードするデコーダと、デコーダでデコードされた映像信号が供給されて映像を表示する表示パネルと、デコーダでデコードされた音声信号が供給されるスピーカと、カメラと、マイクと、カメラやマイクの出力信号をエンコードとを有することを特徴とする。
【発明の効果】
【０００９】
上記構成によると、ユーザにとって使い勝手の良い情報処理装置を提供できる。例えば、デジタルテレビ放送番組を表示する表示画面やスピーカでテレビ電話による通話のための表示が行なわれるものであるから、ユーザは、デジタルテレビ放送番組を視聴中での場所から移動することなく、通話を開始させることができるし、終了させることができ、移動の手間が省かれることになるし、また、通話が終了すると、デコーダやエンコーダが、操作することなく、動作を停止することになり、操作の手間が省けるし、相手側に視聴中のデジタルテレビ放送番組を知られることを防止することもできる。
【図面の簡単な説明】
【００１０】
【図１】本発明によるテレビ電話機能付きテレビ受像機の第１の実施形態を示す外観斜視図である。
【図２】図１に示すテレビ電話機能付きテレビ受像機の第１の実施形態の回路ブロックの一具体例を示すブロック構成図である。
【図３】本発明によるテレビ電話機能付きテレビ受像機を用いたテレビ電話システムの一実施形態を示すシステム図である。
【図４】図１，図２におけるリモコンの操作部の一具体例を示す平面図である。
【図５】図１，図２に示すテレビ電話機能付きテレビ受像機でのＶＯＤ機能モードとテレビ電話機能モードとの処理手順を対比して示す図である。
【図６】図１，図２に示すテレビ電話機能付きテレビ受像機の着呼があった場合の電話着信処理の一具体例を示す図である。
【図７】図３に示すテレビ電話機能付きテレビ受信機間での通話開始・終了時での夫々のプロセッサによるデコーダ，エンコーダの強制起動・停止制御動作の一具体例を示すフローチャートである。
【図８】本発明によるテレビ電話機能付きテレビ受像機の第２の実施形態を示す外観斜視図である。
【図９】図８に示すテレビ電話機能付きテレビ受像機の第２の実施形態の回路ブロックの一具体例を示すブロック構成図である。
【図１０】図９におけるビデオカメラのテレビ電話機能モードでのプロセッサによる接続制御を示すフローチャートである。
【図１１】図９におけるビデオカメラのモードの選択制御を示すフローチャートである。
【図１２】本発明によるテレビ電話機能付きテレビ受像機の第３の実施形態の回路ブロックを示すブロック構成図である。
【図１３】図１２に示すテレビ電話機能付きテレビ受像機でのスピーカからマイクへの音声の漏洩を説明する図である。
【図１４】図１２でのエコーキャンセラの動作を概略的に示す図である。
【発明を実施するための形態】
【００１１】
以下、本発明の実施形態を図面を用いて説明する。
【００１２】
図１は本発明によるテレビ電話機能付きテレビ受像機の第１の実施形態を示す外観斜視図であり、１はテレビ電話機能付きテレビ受像機、２は表示画面、３はスピーカ、４はカメラ、５はマイクロホン（以下、マイクと略称する）、６はネットワーク、７はリモートコントローラ（以下、リモコンと略称する）である。
【００１３】
同図において、テレビ電話機能付きテレビ受像機１の正面側の表示画面２よりも下側の筐体の左右隅には、スピーカ３が設けられ、この下辺側の中央部の位置にカメラ４が内蔵されて設けられている。このカメラ４の外部への露出部分は撮影レンズである。また、表示画面２よりも上側の筐体の中央部にマイク５が設けられている。この第１の実施形態は、テレビ電話機能付きテレビ受像機１の筐体内にビデオカメラを内蔵したものである。
【００１４】
テレビ電話機能付きテレビ受像機１は、図示しないアンテナが設けられてデジタル放送番組が受信可能であるとともに、ネットワーク６を介してＶＯＤ（Video On Demand：ビデオ・オン・デマンド）サーバに接続され、このＶＯＤサーバからのコンテンツ（以下、ＶＯＤコンテンツという）のサービス（ダウンロード）を受けることができ、また、このネットワーク６を介して他のテレビ電話機能付きテレビ受像機とも接続されており、これとテレビ電話ができるものである。
【００１５】
このテレビ電話機能付きテレビ受像機１は、リモコン７によって制御され、このリモコンの操作によって、デジタル放送番組を受信したり、ＶＯＤコンテンツの提供を受けたり、他のテレビ電話機能付きテレビ受像機とのテレビ電話をしたりすることができる。
【００１６】
ここで、今日のテレビ受像機の大型化による高さを考えた場合、ユーザが居間などの部屋のソファに腰掛けて画面を見るときには、カメラ４を表示画面２の上側に配置すると、カメラ４はユーザを見下ろすことになり、この状態でユーザを撮像する。このテレビ電話機能付きテレビ受像機１がテレビ電話に使用されるときには、このように、ユーザが下を向いた映像が相手側のテレビ電話機能付きテレビ受像機に送られて表示されることになり、通話相手が下を向いた状態で画像表示されるは、あまり相応しいものではない。このため、この実施形態では、カメラ４を表示画面２の下側に配置したものである。
【００１７】
スピーカ３はカメラ４の近くに設けており、かかるスピーカ３の振動（音声）がマイク５に入り込んでその性能の劣化を防止するために、このマイク５をスピーカ３から離し、表示画面２の上側の中心部に配置している。
【００１８】
図２は図１に示すテレビ電話機能付きテレビ受像機１の第１の実施形態の回路ブロックの一具体例を示すブロック構成図であって、８は表示パネル、９はアンテナ、１０は放送チューナ、１１はデコーダ、１２はプロセッサ、１３はＨＴＭＬ（HyperText Markup lamguage）ブラウザ、１４は着信検出器、１５はネットワークＩＦ（インターフェイス）、１６はリモコン受信部、１７は記憶部、１８はエンコーダであり、図２に対応する部分には同一符号をつけている。
【００１９】
同図において、この実施形態のテレビ電話機能付きテレビ受像機１には、通常のテレビ受像機と同様の構成に加え、ネットワーク６を介した外部との通信のためのネットワークＩ／Ｆ１５が設けられ、また、テレビ電話のためのカメラ４やマイク５，着信検出手段１４などが設けられ、ＶＯＤのためのＨＴＭＬブラウザ１３などが設けられている。
【００２０】
このテレビ電話機能付きテレビ受像機１は、リモコン７の操作に応じて、アンテナ９からデジタル放送番組信号を受信して、表示パネル８の表示画面２でその放送番組の動画像情報を表示し、スピーカ３からその音声情報を出力して所望番組を視聴するテレビ番組視聴機能と、カメラ４で撮像した動画像情報とマイク５から入力された音声情報とを、テレビ電話信号として、このテレビ電話機能付きテレビ受像機１に接続されたネットワーク６を介して他の同様の図示しないテレビ電話機能付きテレビ受像機（以下、相手側のテレビ電話機能付きテレビ受像機）に送信し、また、この相手側のテレビ電話機能付きテレビ受像機からのテレビ電話信号をこのネットワーク６を介して受信し、その動画像情報を表示パネル８の表示画面２で表示し、その音声情報をスピーカ３から出力して相手側と通話を行なうテレビ電話機能と、図示しないサーバにネットワーク６を介して所望の動画やテキストのコンテンツをリクエストし、このリクエストに応答してこのサーバからネットワーク６を介して提供される動画コンテンツを取得し、その動画情報を表示画面２で表示し、音声情報をスピーカ３から出力するＶＯＤ機能とを有し、これら機能は、リモコン７を操作することによって選択することができる。
【００２１】
リモコン７からのその指示操作に応じた操作信号は、リモコン受信部１６で受信されてプロセッサ１２に供給される。このプロセッサ１２は、供給された操作信号に応じた各部の制御を行なうが、リモコン７でテレビ番組視聴機能の実行が指示されたときには、テレビ放送番組視聴機能を実行するモード（以下、テレビ放送番組視聴機能モードという）を設定し、リモコン７でテレビ電話機能の実行が指示されたときには、テレビ電話機能を実行するモード（以下、テレビ電話機能モードという）を設定し、リモコン７でＶＯＤ機能の実行が指示されたときには、ＶＯＤ機能を実行するモード（以下、ＶＯＤ機能モードという）を設定する。
【００２２】
ここで、図３により、このテレビ電話機能付きテレビ受像機１が用いられるシステムについて説明する。
【００２３】
図３は本発明によるテレビ電話機能付きテレビ受像機を用いたテレビ電話システムの一実施形態を示す概略構成図であって、１’は他の（相手側の）テレビ電話機能付きテレビ受像機、２０は電話サーバ、２１はＶＯＤサーバであり、図２に対応する部分には同一符号をつけている。
【００２４】
同図において、ネットワーク６には、テレビ電話機能付きテレビ受像機１，１’とともに、電話サーバ２０とＶＯＤサーバ２１とが接続されている。ネットワーク６には、多数の本発明によるテレビ電話機能付きテレビ受像機が接続されているが、ここでは、２個のテレビ電話機能付きテレビ受像機を示し、そのうちの一方をあるユーザのテレビ電話機能付きテレビ受像機１とし、他方がこのテレビ電話機能付きテレビ受像機１とテレビ電話で通話する相手側のテレビ電話機能付きテレビ受像機１’とする。
【００２５】
なお、相手側のテレビ電話機能付きテレビ受像機１’は、テレビ電話機能付きテレビ受像機１と同一構成をなすものであり、以下では、図示しないが、相手側のテレビ電話機能付きテレビ受像機１’の各部を、テレビ電話機能付きテレビ受像機１での該当する部分の符号にダッシュをつけて説明する。例えば、相手側のテレビ電話機能付きテレビ受像機１’での「デコーダ」は、デコーダ１１’で表わすことにする。また、以下では、テレビ電話機能付きテレビ受像機１を主体に説明するが、他のテレビ電話機能付きテレビ受像機についても同様である。
【００２６】
テレビ電話機能付きテレビ受像機１がテレビ放送番組視聴機能モードにあるときには、図示しないアンテナ（図２でのアンテナ９）で受信したデジタル放送番組信号をデコード処理して、その番組を視聴できるようにする。テレビ電話機能付きテレビ受像機１がテレビ電話機能モードにあるときには、電話サーバ２０により、テレビ電話機能付きテレビ受像機１とテレビ電話機能付きテレビ受像機１’とがネットワーク６を介して通話可能に接続される。テレビ電話機能付きテレビ受像機１がＶＯＤ機能モードにあるときには、テレビ電話機能付きテレビ受像機１とＶＯＤサーバ２１とがネットワーク２１を介して接続され、テレビ電話機能付きテレビ受像機１からのリクエストに対して、ＶＯＤサーバ２１からリクエストされたコンテンツがこのテレビ電話機能付きテレビ受像機１に提供される。
【００２７】
図４は図１，図２におけるリモコン７の操作部の一具体例を示す平面図であって、７ａは「電源」ボタン、７ｂは「ＴＶ」ボタン、７ｃは「ＶＯＤ」ボタン、７ｄは「テレビ電話」ボタン、７ｅは「番組表」ボタン、７ｆは「検索」ボタン、７ｇは「タイトル一覧」ボタン、７ｈは「予約」ボタン、７ｉは「十字」ボタン、７ｊは「決定」ボタン、７ｋは「音量調整」ボタン、７ｌは「選局」ボタン、７ｍ1は「録画」ボタン、７ｍ2は「再生」ボタン、７ｍ3は「ポーズ（一時停止）」ボタン、７ｍ4は「巻戻し」ボタン、７ｍ5は「早送り」ボタン、７ｎは「停止」ボタンである。
【００２８】
同図において、リモコン７には、テレビ電話機能付きテレビ受像機１（図２）を制御するための各種の操作ボタン、即ち、電源をオン／オフするための電源ボタン７ａやデジタル放送番組の番組表を表示パネル８の表示画面２（図２）に表示させる「番組表」ボタン７ｅ，「検索」ボタン７ｆ，録画済みのデジタル放送番組のタイトルの一覧やＶＯＤサーバ２１（図３）での取得可能なコンテンツのタイトルの一覧を表示するための「タイトル一覧」ボタン７ｇ，デジタル放送番組を予約するための「予約」ボタン７ｈ，表示パネル８の表示画面２に表示されるカーソルの移動などの操作をするための「十字」ボタン７ｉ，表示パネル８の表示画面２で表示されるタイトル一覧などでの項目を選択決定するための「決定」ボタン７ｊ，スピーカ３（図２）の音量を調整するための「音量調整」ボタン７ｋ，デジタル放送番組の受信チャンネルを指定するための「選局」ボタン７ｌ，デジタル放送番組を録画するための「録画」ボタン７ｍ1，録画されたデジタル放送番組を再生するための「再生」ボタン７ｍ2，再生中のデジタル放送番組の再生を一時停止させるための「ポーズ（一時停止）」ボタン７ｍ3，録画されたデジタル放送番組の再生個所を現在の再生位置よりも進めるための「巻戻し」ボタン７ｍ4，録画されたデジタル放送番組の再生個所を現在の再生位置よりも遅れさせるための「早送り」ボタン７ｍ5，録画されたデジタル放送番組の再生を停止させるための「停止」ボタン７ｎなどが設けられている。
【００２９】
そして、さらに、これら操作ボタンに加えて、テレビ電話機能付きテレビ受像機１をテレビ放送番組視聴機能モードに設定するための「ＴＶ」ボタン７ｂと、テレビ電話機能付きテレビ受像機１をＶＯＤ機能モードに設定するための「ＶＯＤ」ボタン７ｃと、テレビ電話機能付きテレビ受像機１をテレビ電話機能モードに設定するための「テレビ電話」ボタン７ｄとが設けられている。これら機能モードは、電源ボタン７ａを操作して電源をオフすることにより、解除されるが、電源ボタン７ａを操作して電源をオンすると、通常のテレビ受像機と同様、自動的にテレビ放送番組視聴機能モードとなって、前回電源がオフされる直前に設定されていたチャンネルのデジタル放送番組が受信される状態となる。
【００３０】
ここで、「ＴＶ」ボタン７ｂは、デジタル放送番組の録画，再生時や番組表，録画済みのデジタル放送番組のタイトルの一覧が表示されているときなど、テレビ電話機能モードやＶＯＤ機能モード以外（即ち、テレビ放送番組視聴機能モード）で表示パネル８の表示画面２に受信デジタル放送番組以外の画面が表示されているとき、デジタル放送番組を受信して表示パネル８の表示画面２に表示させるためのものである。
【００３１】
また、テレビ電話機能モードやＶＯＤ機能モードは、「停止」ボタン７ｎが操作されることにより、解除され、テレビ放送番組視聴機能モードに移行して表示パネル８の表示画面２に受信デジタル放送番組が表示された状態となる。
【００３２】
次に、このリモコン７の操作によって選択される図２に示すテレビ電話機能付きテレビ受像機１の上記の各機能について、図３，図４も参照して、説明する。
【００３３】
図２において、リモコン７の「電源」ボタン７ａを操作してテレビ電話機能付きテレビ受像機１で電源をオンして起動させると、あるいは、テレビ電話機能付きテレビ受像機１が、上記の動作状態にあって、リモコン７の「ＴＶ」ボタン７ｂが操作されると、このリモコン７の操作信号がリモコン受信部１６で受信されてプロセッサ１２に供給される。プロセッサ１２は、この操作信号を判定処理してリモコン７からテレビ放送番組視聴機能モードが要求されたものと判定し、デジタル放送番組信号を受信可能に放送チューナ４やデコーダ１１，表示パネル８，スピーカ３などを動作状態とし、デジタル放送番組信号を受信して視聴可能とするテレビ放送番組視聴機能を実行する状態に設定する。この場合、所望のテレビ放送番組を視聴したい場合には、リモコン７の選局ボタン７ｌを操作してそのチャンネルを指定することにより、プロセッサ１２が放送チューナ４を制御し、この放送チューナ４をこの指定されたチャンネルを選局する状態に設定する。
【００３４】
アンテナ９で受信されて放送チューナ４で選局されたチャンネルの動画圧縮などのエンコードされたデジタルテレビ放送番組信号は、デコーダ１１に供給されて伸張処理などのデコード処理され、画像（動画像や静止画像）の映像信号と音声信号とが得られる。この映像信号が表示パネル８に供給されてこのテレビ放送番組の画像が表示され、この音声信号がスピーカ３に供給されてこのテレビ放送番組の音声が出力される。
【００３５】
ここで、デコーダ１１は、受信されたデジタル放送番組信号の映像信号と音声信号とをデコードする機能（以下、番組用デコード機能という）と、ネットワークＩ／Ｆ１５で受信された相手側のテレビ電話機能付きテレビ受像機１’（図３）からのテレビ電話信号をデコードする機能（以下、テレビ電話用デコード機能という）と、ネットワークＩ／Ｆ１５で受信されたＶＯＤサーバ２１（図３）からの画像（動画像や静止画像）や音声のＶＯＤコンテンツをデコードする機能（以下、ＶＯＤ用デコード機能という）とを備えており、リモコン７の操作に応じて、プロセッサ１２により、設定される機能モードに応じてこれらのデコード機能の切り替えが行なわれる。
【００３６】
そこで、テレビ電話機能付きテレビ受像機１がテレビ放送番組視聴機能モードにあるときには、デコーダ１１は、プロセッサ１２により、番組用デコード機能を実行する状態にあり、放送チューナ４からの受信デジタル放送番組信号をデコードする。そして、かかる状態でリモコン７の「録画」ボタン７ｍ1（図４）が操作されると、プロセッサ１２は記憶部１７を制御し、この受信中のデジタル放送番組信号の録画を行なわせる。また、このテレビ放送番組視聴機能モードでリモコン７の「タイトル一覧」ボタン７ｇ（図４）が操作されると、表示パネル８の表示画面２に記憶部１７での録画済み放送番組のタイトル一覧が表示されるが、この録画番組のタイトル一覧から、「十字」ボタン７ｉや「決定」ボタン７ｊ（図４）の操作によって所望の録画番組が指定され、リモコン７の「再生」ボタン７ｍ2が操作されると、記憶部１７から指定された録画番組信号が再生され、デコーダ１１でデコードされて映像信号が表示パネル８に、音声信号がスピーカ３に夫々供給される。
【００３７】
リモコン７の「ＶＯＤ」ボタン７ｂ（図４）が操作されると、デコーダ１１は、プロセッサ１２により、ＶＯＤ用デコード機能を実行し、ＨＴＭＬブラウザ１３を稼働状態にしてＶＯＤ機能モードを設定する。
【００３８】
そこで、ネットワークＩ／Ｆ１５で受信されたＶＯＤサーバ２１（図３）からのＶＯＤコンテンツは、その動画像コンテンツや静止画コンテンツ，音声コンテンツがデコーダ１１でデコードされ、表示パネル８やスピーカ２に供給されてコンテンツの表示が行なわれる。ＶＯＤコンテンツのうちのテキストはＨＴＭＬブラウザ１３に供給され、表示画面２で表示可能なデータに変換されて表示パネル８に供給される。なお、図示しないが、ＶＯＤサーバ２１から提供されるコンテンツは、ユーザが所望とする時期にこれを視聴再生してデコーダ１１やＨＴＭＬブラウザ１３に供給し、表示パネル８やスピーカ３に供給して再生することができる。
【００３９】
なお、リモコン７で、「ＶＯＤ」ボタン７ｂが操作されると、プロセッサ１２からネットワークＩ／Ｆ１５，ネットワーク６を介してＶＯＤサーバ２１にリクェスト信号が送信され、これに応じてＶＯＤサーバ２１から提供可能な全てのコンテンツのタイトルのデータが提供される。このタイトルのデータはネットワークＩ／Ｆ１５を介してＨＴＭＬブラウザ１３に供給され、そのタイトルの一覧画面が生成されて表示パネル８に供給される。この一覧画面から、リモコン７の「十字」ボタン７ｉや「決定」ボタン７ｊが操作されて所望とするコンテンツが指定されると、プロセッサ１２はネットワークＩ／Ｆ１５，ネットワーク６を介してＶＯＤサーバ２１にこのコンテンツを要求する。これにより、ＶＯＤサーバ２１からこの要求したＶＯＤコンテンツが提供され、上記のように処理されて表示パネル８の表示画面２やスピーカ３で表示される。
【００４０】
そこで、かかるＶＯＤコンテンツの終了後、ユーザがさらに他のＶＯＤコンテンツを希望する場合には、このＶＯＤ機能モードが設定されている状態で（即ち、「ＴＶ」ボタン７ｂや「テレビ電話」ボタン７ｄが操作されない状態で）、「タイトル一覧」ボタン７ｇ（図４）が操作されることにより、上記のように、プロセッサ１２からネットワークＩ／Ｆ１５，ネットワーク６を介してＶＯＤサーバ２１にリクェスト信号が送信され、これに応じてＶＯＤサーバ２１から提供可能な全てのコンテンツのタイトルのデータが提供され、そのタイトルの一覧画面が生成されて表示パネル８に供給される。そして、リモコン７で、上記のように、所望とするコンテンツを選択することにより、ＶＯＤサーバ２１からこの要求したＶＯＤコンテンツが提供されて表示パネル８の表示画面２やスピーカ３で表示される。
【００４１】
リモコン７の「テレビ電話」ボタン７ｃ（図４）が操作されると、デコーダ１１は、プロセッサ１２からの設定制御により、テレビ電話用デコード機能を実行する状態となり、また、これとともに、プロセッサ１２は、カメラ４やマイク５，エンコーダ１８を動作状態にし、テレビ電話機能モードを設定する。なお、着信検出手段１４は、テレビ電話機能付きテレビ受像機１が電源オフの状態にあっても、常に相手側のテレビ電話機能付きテレビ受像機１’（図３）からの着呼を検出可能な状態にある。
【００４２】
そこで、カメラ４の撮像による映像信号とマイク５に入力された音声信号とは、エンコーダ１８に供給されてテレビ電話による通信に応じた圧縮処理（エンコード）がなされ、これによって得られたテレビ電話信号がネットワークＩ／Ｆ１５からネットワーク６を介して相手側のテレビ電話機能付きテレビ受像機１’（図３）に送信される。また、相手側のテレビ電話機能付きテレビ受像機１’からのテレビ電話信号はネットワークＩ／Ｆ１５で受信され、デコーダ１１に供給されてその映像信号と音声信号とが伸張処理（デコード）されて表示パネル８とスピーカ３とに供給される。これにより、相手側のテレビ電話機能付きテレビ受像機１’とのテレビ電話による通話が可能となる。
【００４３】
また、相手側のテレビ電話機能付きテレビ受像機１’からの着呼があると、この着呼が着信検出手段１４で検出され、この検出結果がプロセッサ１２に通知される。これにより、プロセッサ１２は、カメラ４やマイク５，エンコーダ１８を動作状態にしてテレビ電話機能モードを設定し、上記のように、相手側のテレビ電話機能付きテレビ受像機１’との通話が可能な状態とする。
【００４４】
なお、エンコーダ１８は、カメラ４からの映像信号やマイク５からの音声信号を、テレビ電話通信に対するエンコード処理を行なう機能（以下、テレビ電話用エンコード機能という）とデジタル放送番組信号のエンコードと同様のエンコード処理を行なう機能（以下、録画用エンコード機能）とを有しており、リモコン７の制御により、かかるエンコード機能の切り替えが行なわれる。
【００４５】
リモコン７での「テレビ電話」ボタン７ｄが操作されてテレビ電話機能モードとなるときには、これを検知したプロセッサ１２により、エンコーダ１８はテレビ電話用エンコード機能を実行する状態に設定されて、上記のように、テレビ電話信号が生成されて相手側のテレビ電話機能付きテレビ受像機１’とのテレビ電話による通話が可能となるが、いま、テレビ電話機能付きテレビ受像機１がテレビ放送番組視聴機能モードにあって（従って、デコーダ１１は番組用デコード機能を実行する状態にある）、リモコン７で、図示しないが、例えば、撮像のためのボタン操作が行なわれると、エンコーダ１８は録画用エンコード機能が設定され、カメラ４，マイク５が動作状態となる。この場合のカメラ４からの映像信号やマイク５からの音声信号はエンコーダ１８で、この録画用エンコード機能により、受信されたデジタル放送番組信号と同様にエンコードされ、録画信号として、記憶部１７に記憶される。記憶部１７に記憶されているかかる録画信号が、上記のタイトル一覧によって選択し、リモコン７の「再生」ボタン７ｍ2（図４）が操作されると、この録画信号が記憶部１７から再生されてデコーダ１１に供給され、そこでデコードされてその映像信号が表示パネル８に、その音声信号がスピーカ３に供給される。この場合には、テレビ電話機能モードが設定されていないので、このエンコーダ１８からの映像信号や音声信号は、ネットワークＩ／Ｆ１５に供給されない。これにより、このテレビ電話機能付きテレビ受像機１の前での状況の情報をカメラ４やマイク５で取得し、これを一旦記憶部１７に記憶し、後日これをこのテレビ電話機能付きテレビ受像機１で閲覧することができる。
【００４６】
図５はＶＯＤ機能モードとテレビ電話機能モードとの処理手順を対比して示す図である。
【００４７】
まず、ＶＯＤ機能モードでの処理手順について説明すると、図５において、いま、テレビ電話機能付きテレビ受像機１が電源オフ状態にあるとすると、リモコン７の電源ボタン７ａ（図４）を操作することにより、電源オンの状態にする（項番１）。既に電源オンの状態にあるときには、かかる操作は必要ない。
【００４８】
次に、リモコン７の「ＶＯＤ」ボタン７ｃが操作されると、プロセッサ１２は、これを検知してＨＴＭＬブラウザ１３を起動させる（項番２）。
【００４９】
また、プロセッサ１２は、上記のように、ネットワークＩ／Ｆ１５，ネットワーク６を介してＶＯＤサーバ２１（図３）にコンテンツのリクエストを行ない、これに応答して、このＶＯＤサーバ２１から提供できる全てのＶＯＤコンテンツのタイトルのリスト情報を、操作画面のための情報として、ネットワーク６，ネットワークＩ／Ｆ１５を介して、テレビ電話機能付きテレビ受像機１に提供する。テレビ電話機能付きテレビ受像機１では、このリスト情報がＨＴＭＬブラウザ１３に供給されてＶＯＤコンテンツの一覧（リスト）画面が作成され、操作画面として表示パネル８の表示画面２で表示される。ユーザがこの一覧画面から、リモコン７の「十字」ボタン７ｉ，「決定」ボタン７ｊの操作により、希望するＶＯＤコンテンツの選択・決定を行なうと（項番３）、プロセッサ１２がこの選択・決定された情報をＶＯＤサーバ２１に送信し、選択・決定されたＶＯＤコンテンツのダウンロードをリクエストする。これに対し、ＶＯＤサーバ２１では、このユーザの再生権利の確認を行ない、これが確認されると、このＶＯＤコンテンツに対する課金処理が行なわれ、このＶＯＤコンテンツのテレビ電話機能付きテレビ受像機１への提供の許可を通知するともに、このＶＯＤコンテンツのダウンロードを開始する（項番４）。
【００５０】
テレビ電話機能付きテレビ受像機１では、この許可通知を受けると、プロセッサ１２は、デコーダ１１をＶＯＤ用デコード機能の実行状態にして動作を開始させる。これにより、ＶＯＤ機能モードが設定されたことになり、ＶＯＤサーバ２１がダウンロードされるＶＯＤコンテンツがネットワークＩ／Ｆ１５からデコーダ１１に供給され、デコードされた動画／静止画像信号が表示パネル８に供給され、デコードされた音声信号がスピーカ３に供給されて、このＶＯＤコンテンツの再生，表示が行なわれる（項番５）。
【００５１】
このＶＯＤコンテンツの再生が終了するなどして、ユーザがリモコン７の「停止」ボタン７ｎを操作すると、デコーダ１１のＶＯＤ用デコード機能の実行状態を停止させ、番組用デコード機能の実行状態に切り替える。また、これとともに、プロセッサ１２は、ＨＴＭＬブラウザ１３を停止させる（項番６）。
【００５２】
これにより、ＶＯＤ機能モードが終了し、テレビ電話機能付きテレビ受像機１はテレビ放送番組視聴機能モードに設定される（項番７）。
【００５３】
次に、テレビ電話機能モードでの処理手順について説明すると、図５において、いま、テレビ電話機能付きテレビ受像機１が電源オフ状態にあるとすると、リモコン７の電源ボタン７ａ（図４）を操作することにより、電源オンの状態にする（項番１）。既に電源オンの状態にあるときには、かかる操作は必要ない。
【００５４】
次に、リモコン７の「テレビ電話」ボタン７ｄが操作されると、プロセッサ１２は、これを検知してＨＴＭＬブラウザ１３を起動させる（項番２）。
【００５５】
このＨＴＭＬブラウザ１３の起動により、図示しないメモリに格納されている通話先データから通話先一覧画面が作成され、表示パネル８に供給されて表示画面２に表示される。ユーザがリモコン７の「十字」ボタン７ｉや「決定」ボタン７ｊを操作することにより、この通話先一覧画面からユーザが希望する通話先が選択・決定される（項番３）。
【００５６】
通話先が決定すると、プロセッサ１２は、ネットワークＩ／Ｆ１５，ネットワーク６を介して通話先、この場合、図３における相手側のテレビ電話機能付きテレビ受像機１’に発呼を行ない、これとともに、プロセッサ１２の制御のもとに、図示しないメモリから呼出中画面を読み出して表示画面２に表示させ、また、カメラ４やマイク５，エンコーダ１８を動作開始させる（項番４）。
【００５７】
相手側のテレビ電話機能付きテレビ受像機１’からの応答をネットワーク６を介してインターネットＩ／Ｆ１５で受け取ると、プロセッサ１２はデコーダ１１をテレビ電話用デコード機能の実行が可能な状態に切り替えて動作開始させる。これにより、エンコーダ１８から出力される自己側の装置（即ち、テレビ電話機能付きテレビ受像機１）からのテレビ電話信号はネットワークＩ／Ｆ１５からネットワーク６を介して相手側のテレビ電話機能付きテレビ受像機１’に送信され、相手側のテレビ電話機能付きテレビ受像機１’からのテレビ電話信号がネットワーク６を通してネットワークＩ／Ｆ１５で受信され、デコーダ１１でデコードされて、映像信号が表示パネル８に、音声信号がスピーカ３に夫々供給される。これにより、自装置（即ち、テレビ電話機能付きテレビ受像機１）と相手側のテレビ電話機能付きテレビ受像機１’との間で、テレビ電話による通話が行なわれる（項番５）。
【００５８】
通話が終了して、ユーザがリモコン７の「停止」ボタン７ｎを操作すると、プロセッサ１２はデコーダ１１とＨＴＭＬブラウザ１３とを停止させる。また、デコーダ１１が停止するとともに、プロセッサ１２はカメラ４，マイク５，エンコーダ１８を停止させる（項番６）。これにより、テレビ電話機能モードが終了する（項番７）。
【００５９】
なお、テレビ電話機能付きテレビ受像機１がデジタル放送番組の受信しているテレビ放送番組視聴機能モード中にリモコン７の「テレビ電話」ボタン７ｄが操作されてこのテレビ電話機能モードに移行したものであるときには、リモコン７の「停止」ボタン７ｎが操作されて通話終了すると、デコーダ１１は、プロセッサ１２の制御により、テレビ電話用デコード機能を実行する状態から番組用デコード機能を実行する状態に移行し、デジタル放送番組の受信状態に戻る。この場合も、デコーダ１１のテレビ電話用デコード機能の実行が停止することになるから、プロセッサ１２はカメラ４，マイク５，エンコーダ１８を停止させる。
【００６０】
また、このように、テレビ電話機能付きテレビ受像機１でテレビ放送番組視聴機能モードにあるときに、リモコン７の「テレビ電話」ボタン７ｄが操作されることにより、デコーダ１１の機能が番組用デコード機能からテレビ電話用デコード機能へ移行させたとき、プロセッサ１２は記憶部１７を動作させ、これまで受信されていたデジタル放送番組信号をそのまま受信し、この記憶部１７にこのデジタル放送番組信号の受信が終了するまで録画させるようにしてもよい。これにより、デジタル放送番組のテレビ電話によって視聴することができなくなった途中からの部分を後に視聴することができる。
【００６１】
図６はこのテレビ電話機能付きテレビ受像機１の着呼があった場合の電話着信処理の一具体例を示す図である。
【００６２】
同図において、相手側のテレビ電話機能付きテレビ受像機１’からの着呼があった場合には、着信検出手段１４がこの着呼を検出し、これをプロセッサ１２に通知する。プロセッサ１２は、この着呼通知を受けると、このときのテレビ電話機能付きテレビ受像機１の状態に応じて次の制御動作を行ない、このテレビ電話機能付きテレビ受像機１をテレビ電話機能モードにする。以下、テレビ電話機能付きテレビ受像機１の状態に応じた電話着信処理を説明する。
【００６３】
（１）電源オフ：
これは、相手側のテレビ電話機能付きテレビ受像機１’からの着呼があったとき、テレビ電話機能付きテレビ受像機１が電源オフの状態にある場合であって、この場合には、プロセッサ１２は、着信検出手段１４から着呼通知を受けるとともに、電源のオン／オフ状態を判定し、オフ状態にあるときには、電源をオン状態にする（自動電源オン）。
【００６４】
この場合には、プロセッサ１２は、電源をオンするとともに、着呼通知がリモコン７の「テレビ電話」ボタン７ｄが操作されたのと同等のものとし、図５に示す「電話の処理」での項番２からの処理を実行する（電話処理）。そして、リモコン７の「停止」ボタン７ｎが操作され、あるいは、相手側のテレビ電話機能付きテレビ受像機１’のリモコン７’の「停止」ボタン７ｎ’が操作されて通話が終了し、テレビ電話信号が所定期間受信されないと、プロセッサ１２は、テレビ電話機能モードが終了したものと判定し、デコーダ１１のテレビ電話用デコード機能を停止させ、これとともに、図５に示す「電話の処理」での項番６のように、カメラ４，マイク５及びエンコーダ１８を停止させる。
【００６５】
この場合、デコーダ１１は、上記のように、テレビ電話用デコード機能の動作を停止するが、これに続いて番組用デコード機能が動作する状態となり、即ち、テレビ電話用デコード機能から番組用デコード機能に切り替わることになり、デジタル放送番組を受信するテレビ放送番組視聴機能モードへ切り替わることになる（テレビ視聴）。
【００６６】
このように、テレビ電話機能付きテレビ受像機１が電源オフの状態にあるときに他のテレビ電話機能付きテレビ受像機１’からの着呼があると、このテレビ電話機能付きテレビ受像機１では、自動的に電源オンとなってテレビ電話機能モードとなり、通話ができる状態となる。そして、通話が終了すると、デコーダ１１がテレビ電話用デコード機能から番組用デコード機能に切り替わり、受信デジタル放送番組を視聴するテレビ放送番組視聴機能モードに移行する。
【００６７】
（２）テレビ視聴中：
この場合には、テレビ電話機能付きテレビ受像機１がテレビ電話機能モードにあるときに、相手側のテレビ電話機能付きテレビ受像機１’から着呼がある場合であり、プロセッサ１２は、着信検出手段１４から着呼通知を受けるとともに、記憶部１７を制御し、受信しているデジタル放送番組信号をこの記憶部１７に順次記憶させる（自動録画開始）。
【００６８】
これとともに、図５で説明したように、プロセッサ１２は、カメラ４，マイク５及びエンコーダ１８を動作開始させ、また、エンコーダ１１の機能を番組用デコード機能からテレビ電話用デコード機能に切り替える。これにより、相手側のテレビ電話機能付きテレビ受像機１’との通話が行なわれることになる（電話処理）。
【００６９】
そして、リモコン７の「停止」ボタン７ｎが操作され、あるいは、相手側のテレビ電話機能付きテレビ受像機１’のリモコン７’の「停止」ボタン７ｎ’が操作されて通話が終了し、テレビ電話信号が所定期間受信されないと、プロセッサ１２は、テレビ電話機能モードが終了したものと判定し、デコーダ１１のテレビ電話用デコード機能を停止させ、これとともに、図５に示す「電話の処理」での項番６のように、カメラ４，マイク５及びエンコーダ１８を停止させる。
【００７０】
この場合、デコーダ１１は、上記のように、テレビ電話用デコード機能を停止するが、番組用デコード機能が動作する状態となり、即ち、テレビ電話用デコード機能から番組用デコード機能に切り替わる。そして、プロセッサ１２は、記憶部１７を制御して、受信デジタル放送番組信号の上記の通話開始後の録画開始部分から再生を開始する。この再生されたデジタル放送番組信号はデコーダ１１に供給されてデコードされ、表示パネル８とスピーカ３とに供給されて、上記の通話によって中断された部分からの視聴が可能となる（自動再生開始）。
【００７１】
なお、このように、記憶部１７から自動再生が行なわれても、受信中のデジタル放送番組が終了しないときには、そのままこの放送番組信号の録画が継続している。なお、放送番組の終了は、番組表情報などから取得することができる。
【００７２】
（３）ＶＯＤ視聴中：
この場合は、テレビ電話機能付きテレビ受像機１がＶＯＤ機能モードにあるときに、相手側のテレビ電話機能付きテレビ受像機１’から着呼がある場合であり、プロセッサ１２は、着信検出手段１４から着呼通知を受けるとともに、ＶＯＤサーバ２１に対し、ポーズ動作を行なう（自動ポーズ）。
【００７３】
そして、図５で説明したように、カメラ４，マイク５及びエンコーダ１８を動作開始させ、また、エンコーダ１１の機能をＶＯＤ用デコード機能からテレビ電話用デコード機能に切り替える。これにより、相手側のテレビ電話機能付きテレビ受像機１’との通話が行なわれることになる（電話処理）。
【００７４】
そして、リモコン７の「停止」ボタン７ｎが操作され、あるいは、相手側のテレビ電話機能付きテレビ受像機１’のリモコン７’の「停止」ボタン７ｎ’が操作されて通話が終了し、テレビ電話信号が所定期間受信されないと、プロセッサ１２は、テレビ電話機能モードが終了したものと判定し、デコーダ１１のテレビ電話用デコード機能を停止させ、これとともに、図５に示す「電話の処理」での項番６のように、カメラ４，マイク５及びエンコーダ１８を停止させる。
【００７５】
この場合、デコーダ１１は、上記のように、テレビ電話用デコード機能を停止するが、ＶＯＤ用デコード機能が再稼働することになり、即ち、テレビ電話用デコード機能からＶＯＤ用デコード機能に切り替わる。そして、プロセッサ１２は、ＶＯＤサーバ２１からの受信を再開させる。この受信されたデジタル放送番組信号はデコーダ１１に供給されてデコードされ、表示パネル８とスピーカ３とに供給されて、上記の通話によって中断された部分からの視聴が可能となる（ポーズ解除）。
【００７６】
（４）その他：
なお、その他のモードとして、例えば、上記のように、リモコン７で撮像の操作をし、カメラ４，マイク５を動作させ、エンコーダ１８を録画用エンコード機能にすることにより、カメラ４から得られた映像信号とマイク５からの音声信号をエンコーダ１８でエンコードし、これによって得られた撮影信号を記憶部１７に記憶させている撮影／記憶モードであるとき、相手側のテレビ電話機能付きテレビ受像機１’からの着呼がある場合には、プロセッサ１２の制御のもとに、カメラ４，マイク５を動作状態に保持し、エンコーダ１８も動作状態に保持したまま、録画用エンコード機能からテレビ電話用のエンコード機能に切り替え、また、記憶部１７の記憶動作を停止させる（現在状態保存）。
【００７７】
そして、上記のように、プロセッサ１２の制御のもとに、テレビ電話機能付きテレビ受像機１をテレビ電話機能モードに設定して、相手側のテレビ電話機能付きテレビ受像機１’との通話を行なう（電話処理）。
【００７８】
通話が終了すると、上記のように、プロセッサ１２の制御のもとに、テレビ電話機能モードが解除され、これとともに、カメラ４，マイク５を動作状態に保持しながら、エンコーダ１８をテレビ電話用のエンコード機能から録画用エンコード機能に切り替え、記憶部１７の録画動作を再開させる。これにより、カメラ４からの映像信号とマイク５からの音声信号とをエンコーダ１８でエンコード市、記憶装置１７に記憶する動作を再開させる（保存状態に復帰）。
【００７９】
このようにして、テレビ電話機能付きテレビ受像機１が電源オフ状態にあるときに着呼があるときには、テレビ電話による通話が可能となり、通話が終了すると、デジタル放送番組を受信してユーザが視聴可能な状態に切り換わるが、これ以外のモードにテレビ電話機能付きテレビ受像機１があるときには、着呼とともに、テレビ電話による通話可能状態になるが、テレビ電話が終了すると、着呼前の元のモードの状態に戻り、元の動作が再開されることになる。従って、ユーザとしては、通話後、着呼前の状態に復帰させるためのリモコン操作をすることなく、続けて元の状態でこのテレビ電話機能付きテレビ受像機１を利用することができる。
【００８０】
なお、ここでは、相手側のテレビ電話機能付きテレビ受像機１’のリモコン７’の「停止」ボタン７ｎ’が操作されて通話が終了し、テレビ電話信号が所定期間受信されないと、プロセッサ１２がテレビ放送番組視聴機能モードが終了したものと判定するものであるが、この場合、プロセッサ１２は、テレビ電話機能モード時、ネットワークＩ／Ｆ１５からのテレビ電話信号の到着を監視しており、到着しなくなり、かつかかる状態が所定時間以上継続すると、テレビ放送番組視聴機能モードが終了したものと判定する。相手側のテレビ電話機能付きテレビ受像機１’などの他の相手側のテレビ電話機能付きテレビ受像機についても、同様である。
【００８１】
このようにして、相手側からの着呼があると、ユーザの操作を必要とせずに、自動的にテレビ放送番組視聴機能モードとなり、また、テレビ電話信号が受信されなくなると、テレビ放送番組視聴機能モードの終了と判定されて、ユーザの操作を必要とせずに、自動的にテレビ放送番組視聴機能モードが終了することになる。
【００８２】
図７は図３に示すテレビ電話機能付きテレビ受信機１，１’間での通話開始・終了時での夫々のプロセッサによるデコーダ，エンコーダの強制起動・停止制御動作の一具体例を示すフローチャートである。
【００８３】
なお、図５に示すテレビ電話機能モードでの処理手順や図６に示す電話着信処理は、テレビ電話機能付きテレビ受信機１，１’夫々での処理動作を示すものであるが、図７は通話開始時、終了時のテレビ電話機能付きテレビ受信機１，１’間の処理動作の流れを示すものである。
【００８４】
また、図７の説明では、上記のように、これらテレビ電話機能付きテレビ受像機１，１’はいずれも図１，図２に示す構成をなすものであるが、テレビ電話機能付きテレビ受像機１’については、各部をダッシュ（’）が付されて符号で示すものである。
【００８５】
同図（ａ）は通話開始時のテレビ電話機能付きテレビ受像機１，１’でのデコーダ１１，１１’とエンコーダ１３，１３’の強制起動制御動作を示すものであって、左側に図３での自己側のテレビ電話機能付きテレビ受像機１での動作を、右側に図３での相手側のテレビ電話機能付きテレビ受像機１’での動作を夫々示している。
【００８６】
自己側のテレビ電話機能付きテレビ受像機１でリモコン７の「テレビ電話」ボタン７ｄが操作されると（ステップ７００）、ＨＴＭＬブラウザ１３が起動し（ステップ７０１）、プロセッサ１２は、ネットワークＩ／Ｆ１５からネットワーク６を介して、相手側のテレビ電話機能付きテレビ受像機１’にそのデコーダ１１’の起動を指示する（ステップ７０２）。相手側のテレビ電話機能付きテレビ受像機１’では、この指示がネットワークＩ／Ｆ１５’で受信され、プロセッサ１２’がこの指示に基づいてデコーダ１１’を起動し、テレビ電話用デコード機能を実行可能とする（ステップ８００）。デコーダ１１’がテレビ電話用デコード機能で起動すると、プロセッサ１２’は、ネットワークＩ／Ｆ１５’からネットワーク６を介して、デコーダ１１’がテレビ電話用デコード機能で起動したことを自己側のテレビ電話機能付きテレビ受像機１に通知する（ステップ８０１）。
【００８７】
自己側のテレビ電話機能付きテレビ受像機１では、この通知を受けると、プロセッサ１２がエンコーダ１８をテレビ電話用エンコード機能で起動し（ステップ７０３）、次いで、デコーダ１１をテレビ電話用デコード機能で起動する（ステップ７０４）。そして、プロセッサ１２は、ネットワークＩ／Ｆ１５からネットワーク６を介して、相手側のテレビ電話機能付きテレビ受像機１’にそのエンコーダ１８’の起動を指示する（ステップ７０５）。相手側のテレビ電話機能付きテレビ受像機１’では、この指示がネットワークＩ／Ｆ１５’で受信され、プロセッサ１２’がこの指示に基づいてエンコーダ１８’を起動し、テレビ電話用デコード機能を実行可能とする（ステップ８０２）。エンコーダ１８’がテレビ電話用デコード機能で起動すると、プロセッサ１２’は、ネットワークＩ／Ｆ１５’からネットワーク６を介して、エンコーダ１８’がテレビ電話用デコード機能で起動したことを自己側のテレビ電話機能付きテレビ受像機１に通知する（ステップ８０３）。これにより、自己側のテレビ電話機能付きテレビ受像機１と相手側のテレビ電話機能付きテレビ受像機１’との間で、テレビ電話による通話状態となる（ステップ７０６）。
【００８８】
このように、自己側のテレビ電話機能付きテレビ受像機１と相手側のテレビ電話機能付きテレビ受像機１’との間で通話を開始する場合には、一方のテレビ電話機能付きテレビ受像機、即ち、自己側のテレビ電話機能付きテレビ受像機１で、リモコン７の操作により、通話の開始を指示すると、まず、相手側のテレビ電話機能付きテレビ受像機１’側でデコーダ１１’が自動的に起動し、次いで、自己側のテレビ電話機能付きテレビ受像機１側でデコーダ１１が、次にエンコーダ１８が自動的に起動するので、直ちに、通話を希望する側の自己側のテレビ電話機能付きテレビ受像機１側から相手側のテレビ電話機能付きテレビ受像機１’への通話が可能となり、次に、相手側のテレビ電話機能付きテレビ受像機１’でエンコーダ１８’が起動するので、自己側のテレビ電話機能付きテレビ受像機１側からの通話を受けてこれに応答する相手側のテレビ電話機能付きテレビ受像機１’から自己側のテレビ電話機能付きテレビ受像機１側への通話が可能となり、リモコン７の「テレビ電話」ボタン７ｄを操作してからの通話がスムーズに行なわれることになる。
【００８９】
図７（ｂ）は通話終了時のテレビ電話機能付きテレビ受像機１，１’でのデコーダ１１，１１’やエンコーダ１３，１３’の強制起動制御動作を示すものであって、左側に図３での自己側のテレビ電話機能付きテレビ受像機１での動作を、右側に図３での相手側のテレビ電話機能付きテレビ受像機１’での動作を夫々示している。
【００９０】
自己側のテレビ電話機能付きテレビ受像機１でリモコン７の「停止」ボタン７ｎが操作されると（ステップ７１０）、プロセッサ１２は、デコーダ１１の停止処理をする（ステップ７１１）。この場合、このデコーダの停止処理とは、図５や図６で説明したように、実際にテコーダ１１を停止させるものでもよいし、デコーダ１１をテレビ電話用デコード機能から番組用デコード機能やＶＯＤ用デコード機能に切り替えるものなどであってもよい。
【００９１】
次いで、プロセッサ１２は、ネットワークＩ／Ｆ１５からネットワーク６を介して、相手側のテレビ電話機能付きテレビ受像機１’に停止指示通知を送るとともに（ステップ７１２）、エンコーダ１８の停止処理を行ない（ステップ７１３）、これにより、自己側のテレビ電話機能付きテレビ受像機１での通話が終了する（ステップ７１６）。
【００９２】
一方、プロセッサ１２から相手側のテレビ電話機能付きテレビ受像機１’への停止指示通知（ステップ７１２）は、相手側のテレビ電話機能付きテレビ受像機１’でのデコーダ１１’の停止指示（ステップ７１４）とエンコーダ１８’の停止指示（ステップ７１５）とを行なうものであり、相手側のテレビ電話機能付きテレビ受像機１’では、プロセッサ１２’がこのデコーダ１１’の停止指示を受けることにより、デコーダ１１’の停止処理が行なわれ（ステップ８１０）、プロセッサ１２’がこのエンコーダ１８’の停止指示を受けることにより、エンコーダ１８’の停止処理が行なわれる（ステップ８１１）。これにより、通話が終了する。
【００９３】
なお、相手側のテレビ電話機能付きテレビ受像機１’で通信終了したときにも、自己側のテレビ電話機能付きテレビ受像機１の場合と同様、デコーダ１１’は停止される処理が行なわれたり、テレビ電話用デコード機能から番組用デコード機能やＶＯＤ用デコード機能に切り替えられる処理が行なわれたりし、エンコーダ１８’は停止する。
【００９４】
このように、自己側のテレビ電話機能付きテレビ受像機１でリモコン７の「停止」ポタン７ｎが操作されることにより、まず、自己側のテレビ電話機能付きテレビ受像機１でデコーダ１１が停止されるので、相手側のテレビ電話機能付きテレビ受像機１’からの通話の映像や音声が表示されなくなり、次いで、エンコーダ１８が停止処理されるので、自己側のテレビ電話機能付きテレビ受像機１からの映像や音声が相手側のテレビ電話機能付きテレビ受像機１’で自動的に表示されなくなるので、通話を終了したにも拘らず、通話終了後の相手側の映像が不用意に表示されたり、通話終了後の自己側の映像が不用意に相手側で表示されたりすることを防止することができるし、また、自己側のテレビ電話機能付きテレビ受像機１から相手側のテレビ電話機能付きテレビ受像機１’へデコーダ１１’やエンコーダ１８’の停止指令を通知するものであるから、自己側のテレビ電話機能付きテレビ受像機１から通話がかかってきた相手側のテレビ電話機能付きテレビ受像機１’では、リモコン７’での通話停止の操作をすることになく、デコーダ１１’やエンコーダ１８’が停止され、ユーザの停止操作が不要となり、停止操作のし忘れといった事態がなくなる。
【００９５】
なお、この具体例では、テレビ電話機能モードを終了する場合、相手側のテレビ電話機能付きテレビ受像機１’において、自己側のテレビ電話機能付きテレビ受像機１からの停止指令により（図７（ｂ）のステップ７１４，７１５）、デコーダ１１’とエンコーダ１８’が停止するものであったが、自己側のテレビ電話機能付きテレビ受像機１から相手側のテレビ電話機能付きテレビ受像機１’にデコーダ１１’の停止指令を送り、これによってデコーダ１１’が停止すると、プロセッサ１２’がこれを検知してエンコーダ１８’を停止させるようにしてもよい。
【００９６】
あるいはまた、デコーダ１１，１１’は、テレビ電話信号が供給されなくなると、テレビ電話用デコード機能を停止するが、このようにしてデコーダ１１，１１’がテレビ電話用デコード機能を停止すると、これをプロセッサ１２，１２’が検出し、エンコーダ１８，１８’を停止させるようにしてもよい。この場合には、テレビ電話の通話が終了し、例えば、テレビ電話機能付きテレビ受像機１側でリモコン７の「停止」ボタン７ｎを操作することにより、デコーダ１１のテレビ電話用デコード機能を停止させ、これに伴ってエンコーダ１８も動作を終了するが、これにより、相手側のテレビ電話機能付きテレビ受像機１’側では、テレビ電話機能付きテレビ受像機１からテレビ電話信号が送られて来なくなる。そこで、相手側のテレビ電話機能付きテレビ受像機１’では、テレビ電話機能付きテレビ受像機１からテレビ電話信号が送られて来なくなったことから、デコーダ１１’でテレビ電話用デコード機能が停止し、これに伴い、プロセッサ１２’がエンコーダ１８’を停止させる。これにより、相手側のテレビ電話機能付きテレビ受像機１’側では、テレビ電話機能モードの終了操作をしなくとも、自動的にこのモードが終了する。相手側のテレビ電話機能付きテレビ受像機１’側で上記の停止操作を行なった場合も、テレビ電話機能付きテレビ受像機１側で同様のモードの停止が自動的に行なわれる。
【００９７】
あるいはまた、テレビ電話による通話を行なう夫々のテレビ電話機能付きテレビ受像機１，１’のエンコーダ１８，１８’は、テレビ電話信号を供給する相手側のテレビ電話機能付きテレビ受像機１’，１のデコーダ１１’，１１のテレビ電話用デコード機能が停止すると、テレビ電話用エンコード機能を停止するが、このようにしてエンコーダ１８，１８’がテレビ電話用エンコード機能を停止すると、これをプロセッサ１２，１２’が検出し、デコーダ１１，１１’のテレビ電話用デコード機能を停止させるようにしてもよい。この場合には、テレビ電話による通話が終了し、例えば、テレビ電話機能付きテレビ受像機１側でリモコン７の「停止」ボタン７ｎが操作されることにより、デコーダ１１のテレビ電話用デコード機能が停止すると、これにより、テレビ電話機能付きテレビ受像機１’側のエンコーダ１８’が停止し、これをプロセッサ１２’が検出することにより、デコーダ１１’のテレビ電話用デコード機能が停止する。これにより、相手側のテレビ電話機能付きテレビ受像機１’側では、テレビ電話機能モードの終了操作をしなくとも、自動的にテレビ電話機能モードが終了することになる。相手側のテレビ電話機能付きテレビ受像機１’側でリモコン７’によるテレビ電話による通話の停止操作が行なわれた場合も、自己側のテレビ電話機能付きテレビ受像機１で自動的にテレビ電話機能モードが終了する。
【００９８】
図８は本発明によるテレビ電話機能付きテレビ受像機の第２の実施形態を示す外観斜視図であって、１ａは装置本体、３０はビデオカメラ、３１は接続ケーブルであり、図１に対応する部分には同一符号をつけて重複する説明を省略する。
【００９９】
同図において、この第２の実施形態は、テレビ電話機能付きテレビ受像機１の装置本体１ａにビデオカメラ３０を、接続ケーブル３１を介して、着脱可能としたものである。そこで、このビデオカメラ３０は、テレビ電話機能付きテレビ受像機１の装置本体１ａから取り外して単独で使用することができるとともに、接続ケーブル３１を介してテレビ電話機能付きテレビ受像機１の装置本体１ａに接続することにより、装置本体１ａとともにテレビ電話機としても使用できるものである。
【０１００】
ビデオカメラ３０を装置本体１ａに接続ケーブル３１で接続してテレビ電話に使用する場合には、装置本体１ａの表示画面２の前方下部に置かれるが、このため、スピーカ３は、ビデオカメラ３０のマイク（図示せず）にこのスピーカ３からの音声が入り込むのを極力防止するために、表示画面２の情報に設置されている。
【０１０１】
なお、装置本体１ａとビデオカメラ３０とは、個別に購入することができるものであってもよいし、また、セットになっているものであってもよい。
【０１０２】
図９は図８に示すテレビ電話機能付きテレビ受像機１の第２の実施形態の回路ブロックの一具体例を示すブロック構成図であって、３２はカメラ、３３はマイク、３４はエンコーダ、３５は記憶装置、３６はデコーダ、３７はカメラ接続Ｉ／Ｆであり、図２，図８に対応する部分には同一符号をつけて重複する説明を省略する。
【０１０３】
同図において、ビデオカメラ３０は、カメラ３２とマイク３３とエンコーダ３４と記憶装置３５とデコーダ３６とを備えている。
【０１０４】
エンコーダ３４はテレビ電話用エンコード機能と録画用エンコード機能とを有しており、ビデオカメラ３０を接続ケーブル３１を介して装置本体１ａに接続し、テレビ電話による通話を行なう場合には、このエンコーダ３４はテレビ電話用エンコード機能で動作し、ビデオカメラ３０を装置本体１ａから取り外して単独で使用する場合などでは、ビデオカメラ３０はカメラ３２からの映像信号とマイク３３からの音声信号とを記憶装置３５に記憶する機能モード（撮像／記憶機能モード）に設定され、このときのエンコーダ３４は記憶のためのエンコード機能、即ち、録画用エンコード機能を実行する。
【０１０５】
また、ビデオカメラ３０でのデコーダ３６は、記憶装置３５からの再生信号をデコードするものである。
【０１０６】
ビデオカメラ３０が接続ケーブル３１を介して装置本体１ａに接続されたときには、かかる接続ケーブル３１により、ビデオカメラ３０でのエンコーダ３４がカメラ接続Ｉ／Ｆ３７に接続され、デコーダ３６が表示パネル８に接続される。また、図示しないが、接続ケーブル３１には、ビデオカメラ３０の各部を制御するための制御信号がプロセッサ１２からビデオカメラ３０に供給するための制御線や、装置本体１ａからビデオカメラ３０に電源電圧を供給するための電源線が設けられている。
【０１０７】
装置本体１ａが電源オン状態にあるときには、装置本体１ａ内に設けられているビデオカメラ３０を接続するためのカメラ接続Ｉ／Ｆ３７から、ビデオカメラ３０が接続されているか否かを示す接続状態通知信号がプロセッサ１２に供給される。
【０１０８】
リモコン７の「電源」ボタン７ａの操作によって装置本体１ａが電源オンの状態にあるときに、ビデオカメラ３０が装置本体１ａに接続されたときには、あるいはまた、ビデオカメラ３０が装置本体１ａに接続されたときには、装置本体１ａは電源オフ状態にあるが、かかる状態でリモコン７の「電源」ボタン７ａの操作によって装置本体１ａの電源がオンされたときにと、カメラ接続Ｉ／Ｆ３７からプロセッサ１２にビデオカメラ３０が接続されていることを示す接続状態通知信号が供給される。
【０１０９】
また、ビデオカメラ３０には、図示しないが、電源ボタンや録画ボタン，再生ボタン，停止ボタンなどの操作ボタンが設けられた操作部やプロセッサが設けられており、また、電源も内蔵されており、ビデオカメラ３０をテレビ電話機能付きテレビ受像機１の装置本体１ａから分離しても、撮影に使用することができる。なお、図示しないが、ビデオカメラ３０には、モニタやスピーカなども備えつけられている。
【０１１０】
ビデオカメラ３０をこの装置本体１ａから分離して使用するときには、エンコーダ３４は初期機能としての録画用エンコード機能を実行する蓄積録画モードの状態に設定される。即ち、かかる蓄積録画モードでビデオカメラ３０を使用するときには、ビデオカメ３０で電源をオンすると、カメラ３２が撮像を開始し、その映像信号がモニタに供給されて撮影状態が表示される。これとともに、エンコーダ３４は録画用エンコード機能を実行する状態に設定される。そして、ビデオカメラ３０の録画ボタンが操作されると、カメラ３２からの映像信号やマイク３３からの映像信号はエンコーダ３４でエンコードされ、撮影信号として記憶装置３５に蓄積録画される。また、同じく停止ボタンが操作されると、この蓄積録画動作が停止する。また、同じく再生ボタンが操作されると、記憶装置３５に記憶録画された撮影信号が再生され、ビデオカメラ３０のモニタで再生される。
【０１１１】
ビデオカメラ３０を接続ケーブル３１を用いてテレビ電話機能付きテレビ受像機１の装置本体１ａに接続し、リモコン７の電源ボタン７ａ（図４）をオンすると、装置本体１ａが電源オンとなるとともに、ビデオカメラ３０も、接続ケーブル３１を介して装置本体１ａから電源電圧が供給されることにより、電源オンする。
【０１１２】
装置本体１ａのかかるオン状態でリモコン７の再生ボタン７ｍ2（図４）が操作されると、プロセッサ１２はビデオカメラ３０のプロセッサに再生制御信号を送り、これにより、ビデオカメラ３０では、記憶装置３５から記憶された撮影信号が再生され、表示パネル８とスピーカ３に供給されて再生が行なわれる。なお、記憶装置１７に記憶されたデジタル放送番組信号を再生する場合には、リモコン７で「ＴＶ」ボタン７ｂ（図４）を操作してテレビ電話機能付きテレビ受像機１をテレビ放送番組視聴機能の動作モードに設定し、しかる後、リモコン７の再生ボタン７ｍ2を操作すればよい。
【０１１３】
カメラ３０が装置本体１ａに接続されている状態で、リモコン７の「テレビ電話」ボタン７ｄが操作されると、装置本体１ａにおいて、先の第１の実施形態と同様、デコーダ１１とＨＴＭＬブラウザ１３が起動し、デコーダ１１がテレビ電話用エンコード機能を実行する状態となる。また、プロセッサ１２の制御により、ビデオカメラ３０が電源電圧が供給されて電源オン状態となり、エンコーダ３４はテレビ電話用エンコード機能を実行するライブ出力モードの状態に設定される。これにより、テレビ電話機能付きテレビ受像機１はテレビ電話機能モードに設定される。
【０１１４】
なお、このライブ出力モードは、エンコーダ３４の出力信号（撮影信号）の伝番時間を最小にして装置本体１ａに供給するモードであって、カメラ３２からの映像信号やマイク３３からの音声信号がエンコーダ３４でエンコードされて、記憶装置３５を経由することなく、直ちに装置本体１ａのカメラ接続Ｉ／Ｆ３７に供給される。
【０１１５】
このテレビ電話機能モードでは、カメラ３２からの映像信号やマイク３３からの映像信号がテレビ電話用エンコード機能のエンコーダ３４でエンコードされ、テレビ電話信号として装置本体１ａに供給され、この装置本体１ａでは、カメラ接続Ｉ／Ｆ３７で受信されてネットワークＩ／Ｆ１５に供給され、ネットーク６を介して相手側のテレビ電話機能付きテレビ受像機１’に送信される。相手側のテレビ電話機能付きテレビ受像機１’からのテレビ電話信号は、先の第１の実施形態と同様に、ネットワークＩ／Ｆ１５で受信されてデコーダ１１でデコードされ、表示パネル８とスピーカ３とに供給される。
【０１１６】
相手側のテレビ電話機能付きテレビ受像機１’からの着呼があった場合も、先の第１の実施形態と同様であるが、この第２の実施形態では、プロセッサ１２の制御により、ビデオカメラ３０を電源オン状態にし、そのエンコーダ３４がテレビ電話用エンコード機能を実行するライブ出力モードにする。
【０１１７】
テレビ電話機能モードを終了させる場合には、先の第１の実施形態と同様、リモコン７の「停止」ボタン７ｎを操作する。これにより、プロセッサ１２は、ＨＴＭＬブラウザ１３を停止させるとともに、デコーダ１１のテレビ電話用エンコード機能を停止させて他のエンコード機能に切り替える。これとともに、プロセッサ１２は、ビデオカメラ３０の電源をオフし、ビデオカメラ３０の動作を停止させる。
【０１１８】
なお、テレビ電話機能付きテレビ受像機１のＶＯＤ機能モードについては、先に説明した第１の実施形態と同様である。
【０１１９】
図１０は図９におけるビデオカメラ３０のテレビ電話機能モードでのプロセッサ１２による接続制御を示すフローチャートである。
【０１２０】
同図において、テレビ電話機能付きテレビ受像機１の装置本体１ａで、リモコン７の「電源」ボタン７ａの操作により、電源がオンすると（ステップ１０００）、この装置本体１ａにテレビカメラ３０が接続されているか否かを確認する（ステップ１００１）。カメラ接続Ｉ／Ｆ３７からの接続状態通知信号により、ビデオカメラ３０が装置本体１ａに接続されていないことや接続されていたが、接続されなくなったことが検出されると（ステップ１００２）、プロセッサ１２はテレビ電話機能モードの使用不可状態とし、この旨を表示パネル８の表示画面２に表示させる（ステップ１００４）。これに対し、上記の接続状態通知信号により、ビデオカメラ３０が装置本体１ａに接続されていることや接続されていなかったが、接続されるようになったことが検出されると（ステップ１００２）、プロセッサ１２は、ビデオカメラ３０に電源電圧を供給可能とし、そのエンコーダ３４をテレビ電話用エンコード機能で動作の実行可能とする（即ち、ライブ出力モードによる動作を可能にする）ための状態となり（ステップ１００３）、テレビ電話機能付きテレビ受像機１をテレビ電話機能モードで使用可能な状態にする（ステップ１００５）。かかる状態でリモコン７の「テレビ電話」ボタン７ｄが操作されると、また、相手側のテレビ電話機能付きテレビ受像機１’から着呼があると、上記のように、テレビ電話機能モードが設定されて相手側のテレビ電話機能付きテレビ受像機１’とのテレビ電話による通話が可能となる。
【０１２１】
図１１は図９におけるビデオカメラ３０のモードの選択制御を示すフローチャートである。
【０１２２】
同図において、ビデオカメラ３０では、電源オンすると（ステップ１１００）、ビデオカメラ３０でのプロセッサは、テレビ電話機能付きテレビ受像機１の装置本体１ａからテレビ電話機能モードの設定が指示されたか否かを確認する（ステップ１１０１）。
【０１２３】
先に説明したように、ステップ１１００でのビデオカメラ３０の電源のオンは、ビデオカメラ３０が装置本体１ａに接続されていないときには、このビデオカメラ３０の操作部での「電源」ボタンの操作によって行なわれ、ビデオカメラ３０が装置本体１ａに接続されているときには、リモコン７の「テレビ電話」ボタン７ｄの操作によるテレビ電話機能モードの設定指示により、装置本体１ａのプロセッサ１２から指示信号が送られて行なわれる。
【０１２４】
また、ステップ１１０１での本体１ａからのテレビ電話機能モード設定の指示の確認は、装置本体１ａのプロセッサ１２からカメラ接続Ｉ／Ｆ３７を介してこの指示があったか否かを確認するものであり、テレビ電話機能付きテレビ受像機１にリモコン７からテレビ電話機能モードの設定指示があると、プロセッサ１２は、カメラ接続Ｉ／Ｆ３７を介して、ビデオカメラ３０にライブ出力を行なうためのテレビ電話機能モードの設定指示信号を出力する。
【０１２５】
そこで、ビデオカメラ３０では、ステップ１１０１での確認の結果、装置本体１ａからテレビ電話機能モードの設定指示があることがそのプロセッサで確認されると（ステップ１１０２の“ＹＥＳ”）、このプロセッサはエンコーダ３４の動作モードをライブ出力するテレビ電話用エンコード機能を実行するライブ出力モードに設定する（ステップ１１０３）。また、装置本体１ａからテレビ電話機能モードの設定指示がないことが確認されると（ステップ１１０２の“ＮＯ”）、この場合は、テレビ電話機能付きテレビ受像機１にリモコン７からテレビ電話機能モードの設定指示がないか、ビデオカメラ３０が装置本体１ａに接続されていないときであり、このときには、ビデオカメラ３０では、そのプロセッサがエンコーダ３４を録画用エンコード機能を実行する蓄積録画モードに設定する（ステップ１１０４）。
【０１２６】
このようにして、ビデオカメラ３０では、装置本体１ａ側が通話状態にあるか、非通話状態にあるかが認識され、この認識の結果に応じて、エンコーダ３４の動作モードが設定され、夫々毎に動画像の圧縮処理（エンコード）が行なわれる。
【０１２７】
なお、ここでは、ビデオカメラ３０では、装置本体１ａ側が通話状態にあるか、非通話状態にあるかを、装置本体１ａがテレビ電話機能モードとなることにより、プロセッサ１２からのその通知によって認識したが、接続ケーブル６による装置本体１ａとビデオカメラ３０とが接続されると、接続状態通知信号がカメラ接続Ｉ／Ｆ３７からプロセッサ１２に供給され、プロセッサ１２が装置本体１ａにビデオカメラ３０が接続されたことが認識されるが、これとともに、プロセッサ１２がビデオカメラ３０にこの旨を通知し、これによって装置本体１ａが通話状態にあるか、非通話状態にあるかを認識し、エンコーダ３４をテレビ電話用エンコード機能を実行するライブ出力モードとしてもよい。このようにすることにより、装置本体１ａがテレビ電話機能モードとなると、ビデオカメラ３０は直ちにテレビ電話機能モードとして動作することになる。
【０１２８】
以上の動作は、テレビ電話機能付きテレビ受像機１の装置本体１ａに着脱可能としたビデオカメラに限るものではなく、例えば、図９において、カメラ３２やマイク３３，エンコーダ３４，記憶装置３５が装置本体１ａに内蔵されたテレビ電話機能付きテレビ受像機１においても、かかるカメラ３２やマイク３３，エンコーダ３４，記憶装置３５が図１１に示す動作を行ない、エンコーダ３４を、テレビ電話機能モードでは、ライブ出力モードにし、テレビ電話機能モード以外のモードで動作するときには、蓄積録画モードにして動作させるようにすることもできる。
【０１２９】
また、接続ケーブル３１としては、ＨＤＭＩ（登録商標）信号ケーブルやＤＶＩ信号ケーブルなどの一般的な映像ケーブルを用いることができる。
【０１３０】
この第２の実施形態も、テレビ電話機能付きテレビ受像機１全体をみたときには、図２に示す第１の実施形態のテレビ電話機能付きテレビ受像機１と同様の構成を備えたものであり（ビデオカメラ３０でのカメラ３２，マイク３３，エンコーダ３４は夫々、図２でのカメラ４，マイク５，エンコーダ１８に相当する）、その各モードでの動作も、図５〜図７に示す動作を実行するものであるし、また、相手側のテレビ電話機能付きテレビ受像機１’において、自己側のテレビ電話機能付きテレビ受像機１からの停止指令により（図７（ｂ）のステップ７１４，７１５）、デコーダ１１’とエンコーダ３４’が停止するものであったが、自己側のテレビ電話機能付きテレビ受像機１からデコーダ１１’の停止指令を送り、これによってデコーダ１１’が停止すると、プロセッサ１２’がこれを検知してエンコーダ３４’を停止させるようにしてもよい。
【０１３１】
また、デコーダ１１，１１’が、テレビ電話信号が供給されなくなると、テレビ電話用デコード機能を停止することから、先の第１の実施形態と同様、テレビ電話の通話が終了し、例えば、テレビ電話機能付きテレビ受像機１側でリモコン７の「停止」ボタン７ｎを操作することにより、デコーダ１１のテレビ電話用デコード機能を停止させ、これに伴ってエンコーダ１８も動作を終了させ、これにより、相手側のテレビ電話機能付きテレビ受像機１’側では、テレビ電話機能付きテレビ受像機１からテレビ電話信号が送られて来なくなって、デコーダ１１’でテレビ電話用デコード機能が停止し、これに伴い、プロセッサ１２’がエンコーダ１８’を停止させるようにしてもよい。相手側のテレビ電話機能付きテレビ受像機１’側で上記の停止操作を行なった場合も、テレビ電話機能付きテレビ受像機１側で同様のモードの停止が自動的に行なわれる。
【０１３２】
あるいはまた、テレビ電話による通話を行なう夫々のテレビ電話機能付きテレビ受像機１，１’のエンコーダ１８，１８’は、通話相手側のテレビ電話機能付きテレビ受像機１’，１のデコーダ１１’，１１のテレビ電話用デコード機能が停止すると、テレビ電話用エンコード機能を停止するが、エンコーダ１８，１８’がテレビ電話用エンコード機能を停止すると、これをプロセッサ１２，１２’が検出し、デコーダ１１，１１’のテレビ電話用デコード機能を停止させるようにしてもよい。この場合には、テレビ電話による通話が終了し、例えば、テレビ電話機能付きテレビ受像機１側でリモコン７の「停止」ボタン７ｎが操作されることにより、デコーダ１１のテレビ電話用デコード機能が停止すると、これにより、テレビ電話機能付きテレビ受像機１’側のエンコーダ１８’が停止し、これをプロセッサ１２’が検出することにより、デコーダ１１’のテレビ電話用デコード機能が停止するものである。これにより、相手側のテレビ電話機能付きテレビ受像機１’側では、テレビ電話機能モードの終了操作をしなくとも、自動的にテレビ電話機能モードが終了することになる。相手側のテレビ電話機能付きテレビ受像機１’側でリモコン７’による停止操作が行なわれた場合も、自己側のテレビ電話機能付きテレビ受像機１で自動的に自動的にテレビ電話機能モードが終了する。
【０１３３】
図１２は本発明によるテレビ電話機能付きテレビ受像機の第３の実施形態の回路ブロックを示すブロック構成図であって、３８はデコーダ、３９はエコーキャンセラであり、図１に対応する部分には同一符号をつけて重複する説明を省略する。
【０１３４】
同図において、この第３の実施形態では、図２に示す第１の実施形態でのテレビ電話機能付きテレビ受像機１に対し、デコーダ１１が番組用デコード機能のみを備えてテレビ放送番組視聴機能モード専用とし、これにテレビ電話機能モードやＶＯＤ機能モードに用いるデコーダ３８が追加されている。このデコーダ３８は、ネットワークＩ／Ｆ１５に接続されている。また、マイク５から出力される音声信号からスピーカ３のデジタル放送番組信号の音声信号をキャンセルするエコーキャンセラ３９も設けられている。
【０１３５】
この第３の実施形態においても、図２に示す第１の実施形態と同様、リモコン７の上記操作により、テレビ放送番組視聴機能モードとテレビ電話機能モードとＶＯＤ機能モードとを個別に設定することができ、テレビ放送番組視聴機能モードのときには、プロセッサ１２により、デコーダ１１が稼働状態となり、放送チューナ１０からのデジタル放送番組信号がデコーダ１１でデコードされて、その映像信号が表示パネル８に、音声信号がマイク３に夫々供給される。また、テレビ電話機能モード、または、ＶＯＤ機能モードのときには、プロセッサ１２により、デコーダ３８がテレビ電話用デコード機能、または、ＶＯＤ用デコード機能を実行するモードに設定され、ネットワークＩ／Ｆ１５で受信された相手側のテレビ電話機能付きテレビ受像機１’からのテレビ電話信号、または、ＶＯＤコンテンツがデコーダ３８に供給されてデコードされ（ＶＯＤデータのテキスト情報はＨＴＭＬブラウザ１３で映像信号に変換され）、その映像信号が表示パネル８に、音声信号がマイク３に夫々供給される。
【０１３６】
また、この第３の具体例では、リモコン７の操作により、デジタル放送番組信号とテレビ電話信号、または、ＶＯＤコンテンツとを同時に受信してデコードし、これらの映像を表示パネル８の表示画面に同時に、即ち、二画面表示で表示させることができる。この場合のリモコン７の操作としては、図４に示す構成のリモコン７に二画面表示のためのボタン、即ち、「二画面表示」ボタンが設けられており、例えば、「ＴＶ」ボタン７ｂが操作されてテレビ放送番組視聴機能モードにあるときに、この「二画面表示」ボタンが操作され、次いで、「テレビ電話」ボタン７ｄ、または、「ＶＯＤ」ボタン７ｃが操作されることにより、二画面表示モードが設定されて二画面表示が行なわれる。
【０１３７】
この二画面表示モードでは、リモコン７に設けられた選択ボタン（図４に図示せず）の操作に応じて、デコーダ１１とデコーダ３８とから出力される音声信号が同時にスピーカ３に供給される。
【０１３８】
ところで、受信したデジタル放送番組とテレビ電話信号との二画面表示モードでは、図１に示す第１の実施形態と同様、スピーカ３とマイク５とをある程度の間隔をもって設置しているが、それでも、スピーカ３からの音声がマイク５に取り込まれ、マイク５に入力される通話のための音声信号に重畳されることになる。この場合、スピーカ３に供給される音声信号がデコーダ１１からの受信したデジタル放送番組信号の音声信号も含むものであるから、マイク５の出力音声信号には、このデジタル放送番組の音声による信号が重畳され、これが相手側のテレビ電話機能付きテレビ受像機１’に送信されて、相手側が聞き取るのに支障を来す場合もあるし、また、テレビ電話機能付きテレビ受像機１で受信したデジタル放送番組の音声が他のテレビ電話機能付きテレビ受像機１’に漏れるということで、プライバシーの侵害やセキュリティの侵害となる場合もある。
【０１３９】
図１３はこの第３の実施形態の二画面表示状態を示す図であって、３Ｒは右スピーカ、３Ｌは左スピーカ、４０はデジタル放送番組の画面、４１はテレビ電話での相手側の画面であり、図１に対応する部分には同一符号をつけて重複する説明を省略する。
【０１４０】
同図において、二画面表示の場合には、表示画面２の左右の一方側、ここでは、左側にデジタル放送番組の画面４０が表示され、他方側、ここでは、右側にテレビ電話での相手側の画面４１が表示される。ここで、テレビ電話機能付きテレビ受像機１に設けられているスピーカ３のうちの右側のスピーカを右スピーカ３Ｒ，左側のスピーカ３を左スピーカ３Ｌとすると、右スピーカ３Ｒから出力される音声Ａと左スピーカ３Ｌから出力される音声Ｂとがマイク５に取り込まれる。
【０１４１】
なお、ここでは、表示画面２の左側にデジタル放送番組の画面４０が表示され、右側にテレビ電話での相手側の画面４１が表示されるとしたが、その逆であってもよいし、また、デジタル放送番組の画面４０を大きくし、相手側の画面４１を小さくするなど、これらの画面４０，４１の大きさを異ならせるようにしてもよい。
【０１４２】
これを防止するために、この第３の実施形態では、図１２において、エコーキャンセラ３９が設けられており、このエコーキャンセラ３９にマイク５で取り込まれた音声信号が供給されるとともに、デコーダ１１から出力される受信したデジタル放送番組の音声信号が供給され、マイク５の出力音声信号からこれに混入しているスピーカ３（右スピーカ３Ｒ，左スピーカ３Ｌ）からのデジタル放送番組の音声信号が、デコーダ１１の出力音声信号により、キャンセル処理される。このエコーキャンセラ３９の出力音声信号がエンコーダ１８に供給される。
【０１４３】
図１４はこのエコーキャンセラ３９の動作を概略的に示す図である。
【０１４４】
図１４（ａ）はデコーダ１１から図１３での右スピーカ３Ｒに出力される音声信号Ａを示し、図１４（ｂ）はデコーダ１１から図１３での左スピーカ３Ｌに出力される音声信号Ｂを示している。図１４（ｃ）はマイク５の出力音声信号を示すものであって、この音声信号は、通話による音声信号Ｃに音声信号Ａ，Ｂが重畳されたものである。そこで、エコーキャンセラ３９では、このマイク５の出力信号からデコーダ１１からの右スピーカ３Ｒへの音声信号Ａと左スピーカ３Ｌ変の音声信号Ｂとを減算してキャンセルする。これにより、図１４（ｄ）に示すように、エコーキャンセラ３９からは、マイク５に入力された通話による音声の音声信号Ｃのみが出力され、これがエンコーダ１８に供給される。
【０１４５】
このようにして、受信したデジタル放送番組の画面とテレビ電話での相手側との画面とを同時に二画面で表示し、夫々の音声を同時にスピーカ３から出力するようにしても、マイク５から相手側に送信する音声信号としては、通話のための音声信号のみとすることができ、このデジタル放送番組について、プライバシーやセキュリティを損なうことなく、テレビ電話による通話を円滑に行なうことが可能となる。
【０１４６】
なお、この第３の実施形態においても、先の第１の実施形態と同様、各モードでの動作も、図５〜図７に示す動作を同等の動作を実行するものであるし、また、相手側のテレビ電話機能付きテレビ受像機１’において、自己側のテレビ電話機能付きテレビ受像機１からの停止指令により（図７（ｂ）のステップ７１４，７１５）、デコーダ１１’とエンコーダ３４’が停止するものであったが、自己側のテレビ電話機能付きテレビ受像機１からデコーダ１１’の停止指令を送り、これによってデコーダ１１’が停止すると、プロセッサ１２’がこれを検知してエンコーダ３４’を停止させるようにしてもよい。
【０１４７】
また、デコーダ１１，１１’が、テレビ電話信号が供給されなくなると、テレビ電話用デコード機能を停止することから、先の第１の実施形態と同様、テレビ電話の通話が終了し、例えば、テレビ電話機能付きテレビ受像機１側でリモコン７の「停止」ボタン７ｎを操作することにより、デコーダ１１のテレビ電話用デコード機能を停止させ、これに伴ってエンコーダ１８も動作を終了させ、これにより、相手側のテレビ電話機能付きテレビ受像機１’側では、テレビ電話機能付きテレビ受像機１からテレビ電話信号が送られて来なくなって、デコーダ１１’でテレビ電話用デコード機能が停止し、これに伴い、プロセッサ１２’がエンコーダ１８’を停止させるようにしてもよい。相手側のテレビ電話機能付きテレビ受像機１’側で上記の停止操作を行なった場合も、テレビ電話機能付きテレビ受像機１側で同様のモードの停止が自動的に行なわれる。
【０１４８】
あるいはまた、テレビ電話による通話を行なう夫々のテレビ電話機能付きテレビ受像機１，１’のエンコーダ１８，１８’は、相手側のテレビ電話機能付きテレビ受像機１’，１のデコーダ１１’，１１のテレビ電話用デコード機能が停止すると、テレビ電話用エンコード機能を停止するが、エンコーダ１８，１８’がテレビ電話用エンコード機能を停止すると、これをプロセッサ１２，１２’が検出し、デコーダ１１，１１’のテレビ電話用デコード機能を停止させるようにしてもよい。この場合には、テレビ電話による通話が終了し、例えば、テレビ電話機能付きテレビ受像機１側でリモコン７の「停止」ボタン７ｎが操作されることにより、デコーダ１１のテレビ電話用デコード機能が停止すると、これにより、テレビ電話機能付きテレビ受像機１’側のエンコーダ１８’が停止し、これをプロセッサ１２’が検出することにより、デコーダ１１’のテレビ電話用デコード機能が停止するものである。これにより、相手側のテレビ電話機能付きテレビ受像機１’側では、テレビ電話機能モードの終了操作をしなくとも、自動的にテレビ電話機能モードが終了することになる。相手側のテレビ電話機能付きテレビ受像機１’側でリモコン７’による停止操作が行なわれた場合も、自己側のテレビ電話機能付きテレビ受像機１で自動的に自動的にテレビ電話機能モードが終了する。
【０１４９】
さらに、この第３の実施形態は、カメラ４とマイク５とエンコーダ１８とがテレビ電話機能付きテレビ受像機１の筐体内に内蔵された構成をなすものとしたが、図９に示す第２の実施形態と同様、テレビ電話機能付きテレビ受像機１の装置本体に着脱可能なビデオカメラを用い、このビデオカメラを第２の実施形態でのビデオカメラ３０と同様に用いるようにしてもよい。
【符号の説明】
【０１５０】
１，１’  テレビ電話機能付きテレビ受像機
１ａ  装置本体
２  表示画面
３  スピーカ
３Ｒ  右スピーカ
３Ｌ  左スピーカ
４  カメラ
５  マイクロホン
６  ネットワーク
７  リモートコントローラ
７ａ  「電源」ボタン
７ｂ  「ＴＶ」ボタン
７ｃ  「ＶＯＤ」ボタン
７ｄ  「テレビ電話」ボタン
７ｇ  「タイトル一覧」ボタン
７ｉ  「十字」ボタン
７ｊ  「決定」ボタン
７ｌ  「選局」ボタン
７ｍ1  「録画」ボタン
７ｍ2  「再生」ボタン
７ｎ  「停止」ボタン
８  表示パネル
９  アンテナ
１０  放送チューナ
１１  デコーダ
１２  プロセッサ
１３  ＨＴＭＬブラウザ
１４  着信検出器
１５  ネットワークＩＦ
１６  リモコン受信機
１７  記憶部
１８  エンコーダ
２０  電話サーバ
２１  ＶＯＤサーバ
３０  ビデオカメラ
３１  接続ケーブル
３２  カメラ
３３  マイク
３４  エンコーダ
３５  記憶装置
３６  デコーダ
３７  カメラ接続Ｉ／Ｆ
３８  デコーダ
３９  エコーキャンセラ
４０  デジタル放送番組の画面
４１  テレビ電話での相手側の画面
【図１】
2014060769.tif 000003
【図２】
2014060769.tif 000004
【図３】
2014060769.tif 000005
【図４】
2014060769.tif 000006
【図５】
2014060769.tif 000007
【図６】
2014060769.tif 000008
【図７】
2014060769.tif 000009
【図８】
2014060769.tif 000010
【図９】
2014060769.tif 000011
【図１０】
2014060769.tif 000012
【図１１】
2014060769.tif 000013
【図１２】
2014060769.tif 000014
【図１３】
2014060769.tif 000015
【図１４】
2014060769.tif 000016